(57)【特許請求の範囲】
【請求項１】
ロープの損傷を検出するためのロープテスタを支持するロープテスタ保持用治具において、
前記保持用治具は、検査対象ロープの近辺にある固定物に取り付けられる第１支持具と、
前記第１支持具に設けられる第２支持具と、
一側が前記第２支持具に回動自在に設けられ、他側には第４支持具が設けられるとともに、前記一側と他側の相対距離が可変な構成の第３支持具と、
前記第３支持具の他側に設けられ、前記ロープテスタを支持する第４支持具と、
前記第３支持具の他側に前記ロープテスタの方向へ進退自在に設けられ、前記ロープテスタを支持する第５支持具とを備えたことを特徴とするロープテスタ保持用治具。
【請求項２】
前記第３支持具は、複数の長尺の支持アームからなり、これらの支持アームを長手方向に相対移動させることにより、前記一側と他側の相対距離が可変な構成になっていることを特徴とする請求項１に記載のロープテスタ保持用治具。
【発明の詳細な説明】
【技術分野】
【０００１】
本発明は、エレベータの主ロープなどの素線の断線を検出するロープテスタを、ロープにセットした状態で支持するロープテスタ保持用治具に関するものである。
【背景技術】
【０００２】
エレベータの主ロープを点検する場合、従来は作業者がロープテスタの取手を持ってロープにセットし、他の作業者がエレベータを運転していたため、作業者が２名必要であった。
また、作業者がロープテスタを持ち続けなければならないため、手ぶれや作業者の疲労により、ロープテスタがロープからずれたり離れたりして、検出精度が低下する虞があった。
【０００３】
そこで、この問題を解決するために、保持用治具を使ってロープテスタをロープにセットする装置が考えられている。
図４は従来のロープテスタ保持用治具を示す斜視図、図５は図４の保持用治具をエレベータの巻上機に設置した状態を示す側面図である。
【０００４】
図において、１はエレベータの機械室に設置された機械台、２は機械台１に設置された巻上電動機、３は巻上電動機２により駆動される綱車、５は機械台１に枢着されたそらせ車、４は綱車３とそらせ車５に巻き掛けられた主ロープであり、一側にかご、他側にカウンターウェイトが吊り下げられている。６は主ロープ４の素線の破断を検出するロープテスタであり、主ロープ４が挿入される溝を有する検出部本体６ａと取手６ｂとを有している。
【０００５】
１１は磁石を有し、その磁力によって機械台１に吸着された一対の取付台、１２は両端部が取付台１１に取り付けられ、主ロープ４と直交する方向へ延びる第１の腕、１３は基端部が第１の腕１２に連結され、主ロープ４と平行に延びている第２の腕であり、その中間部はスプリング１４になっている。１５は第１のねじ１６により第２の腕１３の基端部に固定されて、第１の腕１２が貫通している固定金具、１７は固定金具１５を第１の腕１２に固定するための第２のねじである。
【０００６】
１８は基端部が第３のねじ１９により第２の腕１３の先端に角度調節可能に連結されている第３の腕、２０は第４のねじ（図示省略）によって第３の腕１８に連結されロープテスタ６の取手６ｂを保持する保持金具であり、第３の腕１８に沿って摺動自在になっている。２４は第１の腕１２を取付台１１に固定する第５のねじ、２５は第１の腕１２の一端部に設けられ、第１の腕１２を回転させるための支持圧設定用レバーである。
【０００７】
次に、主ロープ４の点検作業について説明する。まず機械台１上の所定の位置に取付台１１をその磁石で取り付ける。次に固定金具１５を挿通した第１の腕１２を取付台１１に取り付け、固定金具１５に第２の腕１３を取り付ける。そして第２の腕１３の先端部に第３の腕１８を連結し、第３の腕１８に保持金具２０を取り付け、更に保持金具２０に取手６ｂを取り付ける。
【０００８】
そして、ロープテスタ６を主ロープ４にセットし、第２のねじ１７を締め付けて第１の腕１２の軸方向に対して第２の腕１３を固定する。更に支持圧設定レバー２５を回転させて適正な支持圧を設定した後、第５のねじ２４で第１の腕１２が回転しないように固定する。
このようにしてロープテスタ６を設置して、作業者がエレベータを低速で運転することにより主ロープ４が移動し、主ロープ４の点検が行われる。また、作業後の撤収作業は前記の逆の手順で行う。
【０００９】
前記ロープテスタ保持用治具を使用することにより、一人の作業者でも主ロープ４の点検作業が容易に行うことができるため、作業性が向上する。またロープテスタ６は、人手ではなく保持用治具によって安定して支持されるためロープテスタ６の検出精度が向上する。
【先行技術文献】
【特許文献】
【００１０】
【特許文献１】特開平０９−２９０９７３号公報
【発明の概要】
【発明が解決しようとする課題】
【００１１】
前記従来技術では、第１〜第３の腕１２，１３，１８の長さが固定されているため、綱車３，そらせ車５及び機械台１の位置関係により機械台１と主ロープ４との距離が離れすぎたり逆に近すぎる現場の場合には、この治具が適用できない可能性がある。
また、第３の腕１８及び保持金具２０による取手６ｂの保持は一点支持に近い保持であるため、ロープテスタ６の保持が不安定になる虞があるという問題があった。
【課題を解決するための手段】
【００１２】
本発明は、ロープの損傷を検出するためのロープテスタを支持するロープテスタ保持用治具において、前記保持用治具は、検査対象のロープの近辺にある固定物に取り付けられる第１支持具と、前記第１支持具に設けられる第２支持具と、一側が前記第２支持具に回動自在に設けられ、他側には第４支持具が設けられるとともに、前記一側と他側の相対距離が可変な構成の第３支持具と、前記第３支持具の他側に設けられ、前記ロープテスタを支持する第４支持具と、前記第３支持具の他側に前記ロープテスタの方向へ進退自在に設けられ、前記ロープテスタを支持する第５支持具とを備えたことを特徴とするロープテスタ保持用治具である。
【００１３】
また本発明は、前記第３支持具は、複数の長尺の支持アームからなり、これらの支持アームを長手方向に相対移動させることにより、前記一側と他側の相対距離が可変な構成になっていることを特徴とするロープテスタ保持用治具である。
【発明の効果】
【００１４】
本発明によれば、保持用治具を構成する第３支持具の長さが可変なので、機械台と主ロープとの距離の大小にも対応することができる。
また、ロープテスタを支持する第５支持具を有しているため、ロープテスタを安定して保持することができる。
【図面の簡単な説明】
【００１５】
【図１】本発明の実施の形態によるロープテスタ保持用治具をエレベータの巻上機に設置した状態を示す側面図である。
【図２】本発明の実施の形態によるロープテスタ保持用治具の平面図である。
【図３】本発明の実施の形態による第４支持具の正面図及び側面図である。
【図４】従来のロープテスタ保持用治具を示す斜視図である。
【図５】従来のロープテスタ保持用治具をエレベータの巻上機に設置した状態を示す側面図である。
【発明を実施するための形態】
【００１６】
本発明の実施の形態を図１〜図３により説明する。図１は本実施の形態によるロープテスタ保持用治具をエレベータの巻上機に設置した状態を示す側面図で、図５に相当する図。図２は本実施の形態によるロープテスタ保持用治具の平面図、図３は本実施の形態のロープテスタ保持用治具を構成する第４支持具の正面図及び側面図である。
【００１７】
図において、図５と同一符号は同一のものを示している。３１は磁石３１ａを有する第１支持具で、この磁石３１ａによって機械台１に取り付けられる。３２は一対の第１支持具３１の孔を貫通するように主ロープ４と直交する方向に配置した第２支持具、３３は第１支持アーム３３ａと第２支持アーム３３ｂからなり主ロープ４と平行に延びている第３支持具で、第１支持アーム３３ａの一側は第２支持具３２が貫通することにより第２支持具３２に回動自在に取り付けられ、他側は第２支持アーム３３ｂを収納するように重合した構成であり、両支持アーム３３ａと３３ｂの重合量を変えることにより、第３支持具３３の長さを変えられるようになっている。３３ｃは第１支持アーム３３ａと第２支持アーム３３ｂとを固定する蝶ねじである。
【００１８】
３４は蝶ねじ３４ａによって第２支持アーム３３ｂの先端部に角度調節可能に取り付けられた第４支持具であり、図３に示すように第２支持アーム３３ｂにねじ止めされる基部３４１と挟持部３４２との間にロープテスタ６の取手６ｂを挟み、２組の締結具３４３（ボルト，蝶ナット）で締め付けることにより、ロープテスタ６の取手６ｂを支持する構成である。
３５は蝶ねじ３５ａによって第２支持アーム３３ｂに取り付けられた第５支持具で、中央の長穴３５ｂと蝶ねじ３５ａとにより、第２支持アーム３３ｂからロープテスタ６の方向へ進退可能に設けられ、先端部が取手６ｂに接触可能な構成になっている。
【００１９】
次に本実施の形態による、主ロープ４の点検作業について説明する。まず機械台１の適当な位置に一対の第１支持具３１を磁石３１ａで取り付ける。次に第２支持具３２を第３支持具３３の第１支持アーム３３ａに挿通するとともに、第２支持具３２の両端を一対の第１支持具３１に挿入する。第３支持具３３の第１アーム３３ａには、蝶ねじ３３ｃが緩められた状態で第２支持アーム３３ｂが挿入されており、この第２支持アーム３３ｂの先端部に蝶ねじ３４ａによって第４支持具３４の基部３４１を取り付ける。更に、ロープテスタ６の取手６ｂを挟んで、締結具３４３により、挟持部３４２を基部３４１に取り付ける。また蝶ねじ３５ａにより第２支持アーム３３ｂに第５支持具３５を取り付ける。以上の段階では各蝶ねじは緩く取り付けられている。
【００２０】
そして、ロープテスタ６を主ロープ４にセットし、各蝶ねじを締め付ける。このとき、第５支持具３５を取手６ｂに接触させ、作業中ロープテスタ６が遥動しないように蝶ねじ３５ａを締め付ける。
更に必要に応じて、第２支持具３２の第１支持具３１から外側に突出した部分に、第２支持具の抜け止め用のピンを挿入してもよい（図示省略）。
その後、作業者がエレベータを低速で運転することにより主ロープ４を移動させて、主ロープ４の点検を行う。また作業終了後の前記治具の撤収作業は、前記と逆の手順で行うが、必要に応じて撤収手順を変えてもよい。
【００２１】
このように、本実施の形態によれば、主ロープ４の点検作業が、一人の作業者によって容易に行うことができるだけでなく、第３支持具が伸縮自在な構成のため、機械台１と主ロープ４との距離が離れすぎたり逆に近すぎる場合であっても、本実施の形態の治具を使用することができる。
また、第４支持具３４と第５支持具３５の両方でロープテスタ６を支持しているため、ロープテスタ６を安定して確実に支持することができ、ロープテスタ６の検出精度を向上させることができる。
【００２２】
前記実施の形態では、各支持具の連結に蝶ねじを使用しているが、普通のねじ（ボルト，ナット）を使用することもできる。また、第１支持具３１の機械台１への取り付けは磁石３１ａに限ることはなく、万力などの締結手段を使用することもできる。更に、前記実施の形態では第１支持具３１と第２支持具３２、第２支持具３２と第３支持具３３とはそれぞれ摺動、回動自在な構成になっているが、従来技術と同じく、各支持具の相互の位置が決まったら、それぞれねじなどで固定することもできる。
【００２３】
また、第３支持具３３は第１支持アーム３３ａと第２支持アーム３３ｂからなっているが、これらの支持アームは３個以上であってもよい。更に、第４支持具３４は基部３４１と挟持部３４２とを２つの締結具３４３で連結する構成であるが、一方を蝶番とすることもできる。更にまた、第５支持具３５は第４支持具３４と同様に取手６ｂを挟む構成とすることもできる。
【００２４】
また、前記実施の形態では、機械室を有するエレベータについて述べたが、機械室のないエレベータの場合でも適応可能であり、更に据付現場の状況により機械台１ではなく建物の梁など他の固定物を利用することも可能である。
更に、本治具は、エレベータの主ロープに限らず、ウインチなどその他の巻上機のロープに使用することも可能である。
【符号の説明】
【００２５】
１  機械台
４  主ロープ
６  ロープテスタ
３１  第１支持具
３２  第２支持具
３３  第３支持具
３３ａ  第１支持アーム
３３ｂ  第２支持アーム
３４  第４支持具
３５  第５支持具
【図１】
0005605100.tif 000002
【図２】
0005605100.tif 000003
【図３】
0005605100.tif 000004
【図４】
0005605100.tif 000005
【図５】
0005605100.tif 000006